(57)【要約】【課題】低コストで、給油所等を含む複数の商業施設において、顧客に共通したサービスを提供して顧客の囲い込みを図る。【解決手段】複数の商業施設２〜４において顧客を管理するための管理サーバ７を備え、複数の商業施設の各々は、各々の商業施設における顧客のサービス利用履歴が付加された識別コードを印字する印字手段２ｅ等を備え、顧客が通信端末５によって印字手段で印字された識別コードを読み取った際に、管理サーバは、ネットワーク６を介して通信端末から送信される識別コードに付加されるサービス利用履歴に関する情報を受信し、該サービス利用履歴と、該通信端末の端末情報とを関連付けて記憶する。管理サーバは、記憶された利用履歴及び端末情報と関連付けてポイント情報を記憶することもでき、記憶された利用履歴及び端末情報に基づいて家計簿を作成することもできる。【選択図】図１
2012168825.tif 000002
【特許請求の範囲】
【請求項１】
複数の商業施設において顧客を管理するための管理サーバを備えた顧客管理システムであって、
前記複数の商業施設の各々は、各々の商業施設における顧客のサービス利用履歴が付加された識別コードを印字する印字手段を備え、
顧客が通信端末によって前記印字手段で印字された識別コードを読み取った際に、前記管理サーバは、ネットワークを介して該通信端末から送信される前記識別コードに付加されるサービス利用履歴に関する情報を受信し、該サービス利用履歴と、該通信端末の端末情報とを関連付けて記憶することを特徴とする顧客管理システム。
【請求項２】
前記管理サーバは、前記記憶された利用履歴及び端末情報と関連付けてポイント情報を記憶することを特徴とする請求項１に記載の顧客管理システム。
【請求項３】
前記管理サーバは、前記記憶された利用履歴及び端末情報に基づいて家計簿を作成することを特徴とする請求項１又は２に記載の顧客管理システム。
【請求項４】
前記ネットワークと接続される商業施設の少なくとも１つは、給油所であることを特徴とする請求項１、２又は３に記載の顧客管理システム。
【請求項５】
前記識別コードは、前記サービス利用履歴をＵＲＬ化し、該ＵＲＬをさらにコード化したものであることを特徴とする請求項１乃至４のいずれかに記載の顧客管理システム。
【発明の詳細な説明】
【技術分野】
【０００１】
本発明は、給油所等を含む複数の商業施設において、顧客に共通したサービスを提供して顧客の囲い込みを図るために用いられる顧客管理システムに関する。
【背景技術】
【０００２】
従来、給油所において、自動車等に給油する顧客へポイントを付与したり、購買実績に基づいて値引を行うことが行われている。このようなサービスを提供する際には、リライトカードや、磁気カードを利用し、その給油所だけの実績で顧客管理を行っている。また、複数の給油所の各々の決済端末より、購買データを独自プロトコルを用いて後方サーバにオンライン送信してデータベース管理することで、複数の給油所間で顧客管理を行う給油所システムが提案されている（例えば、特許文献１参照）。
【０００３】
一方、複数の商業施設において共通の顧客管理システムを用い、これらの商業施設を利用した顧客に対し、いずれの商業施設においても利用することのできるポイントを付与したり、購買実績に基づいて割引を行うなど、種々のサービスを提供することが行われている。
【先行技術文献】
【特許文献】
【０００４】
【特許文献１】特開２０１０−１１７７４３号公報
【発明の開示】
【発明が解決しようとする課題】
【０００５】
上記複数の給油所間や、複数の商業施設において顧客に共通したサービスを提供するには、各々の給油所や商業施設に高速回線を引いたり、固定ＩＰを設定したり、プロバイダ契約を行ってネットワークを介して管理サーバに通信可能に接続する必要があり、システムの構築に高額の費用が必要になる。特に、複数の商業施設の一つ、例えば給油所が既に独自のシステムを用いて上記サービスを提供し、この給油所に隣接する商業施設においても同様のサービスを共通して顧客に提供しようとすると、各々の商業施設にも給油所と同様、管理サーバに接続可能な端末装置を設置する必要があり、各々の商業施設のコスト負担が大きくなるという問題があった。
【０００６】
そこで、本発明は、上記従来の技術における問題点に鑑みてなされたものであって、低コストで、給油所等を含む複数の商業施設において、顧客に共通したサービスを提供して顧客の囲い込みを図ることが可能な顧客管理システムを提供することを目的とする。
【課題を解決するための手段】
【０００７】
上記目的を達成するため、本発明は、複数の商業施設において顧客を管理するための管理サーバを備えた顧客管理システムであって、前記複数の商業施設の各々は、各々の商業施設における顧客のサービス利用履歴が付加された識別コードを印字する印字手段を備え、顧客が通信端末によって前記印字手段で印字された識別コードを読み取った際に、前記管理サーバは、ネットワークを介して該通信端末から送信される前記識別コードに付加されるサービス利用履歴に関する情報を受信し、該サービス利用履歴と、該通信端末の端末情報とを関連付けて記憶することを特徴とする
【０００８】
そして、本発明によれば、商業施設の各々は、各々の商業施設における顧客のサービス利用履歴が付加された識別コードを印字する印字手段を備えるだけの簡易な構成であるため、低コストで、給油所等を含む複数の商業施設において顧客の囲い込みを図ることができる。
【０００９】
上記顧客管理システムにおいて、前記管理サーバは、前記記憶された利用履歴及び端末情報と関連付けてポイント情報を記憶することができる。これによれば、複数の商業施設において共通のポイントを利用することができ、利用客の利便性をさらに向上させることが可能になる。
【００１０】
また、上記顧客管理システムにおいて、前記管理サーバは、前記記憶された利用履歴及び端末情報に基づいて家計簿を作成することができる。これによれば、顧客に家計簿を提供することができ、利用客の利便性をさらに向上させることが可能になる。
【００１１】
さらに、上記顧客管理システムにおいて、前記ネットワークと接続される商業施設の少なくとも１つを給油所とすることができ、給油所を含む複数の商業施設において顧客の囲い込みを図ることができる。
【００１２】
上記顧客管理システムにおいて、前記識別コードを、前記サービス利用履歴をＵＲＬ化し、該ＵＲＬをさらにコード化したものとすることができ、ＵＲＬで自動的に管理サーバにエントリーすることができる。
【発明の効果】
【００１３】
以上のように、本発明によれば、低コストで、給油所等を含む複数の商業施設において顧客の囲い込みを図ることが可能な顧客管理システムを提供することが可能になる。
【図面の簡単な説明】
【００１４】
【図１】本発明にかかる顧客管理システムの一実施の形態を示す全体構成図である。
【図２】図１の顧客管理システムの装置構成を示すブロック図である。
【図３】本発明にかかる顧客管理システムの管理サーバの利用履歴記憶部及びポイント情報記憶部が記憶する情報の一例を示す図である。
【図４】図１の顧客管理システムの動作を説明するフローチャートである。
【発明を実施するための形態】
【００１５】
次に、本発明実施するための形態について、図面を参照しながら詳細に説明する。
【００１６】
図１は、本発明にかかる顧客管理システムの一実施の形態を示し、この顧客管理システム１は、給油所２、コンビニエンスストア（以下「コンビニ」という）３、レストラン４等の複数の商業施設と、インターネット６に接続された管理サーバ７とで構成される。
【００１７】
図２に示すように、給油所２には、給油装置２ａと、洗車装置２ｂと、ＰＯＳ端末２ｃ等が設置される。ＰＯＳ端末２ｃは、給油装置２ａや洗車装置２ｂ等での販売実績を集計すると共に、顧客のサービス利用履歴を含むＵＲＬ情報を付加したＱＲコードを作成するＱＲコード作成部２ｄと、ＱＲコード作成部２ｄによって作成されたＱＲコードを印字する印字部２ｅ等を備える。
【００１８】
コンビニ３、レストラン４等の給油所２以外の商業施設においては、従来用いられているレジスターなどの精算装置３ａ、４ａに、顧客のサービス利用履歴を含むＵＲＬ情報を付加したＱＲコードを作成するＱＲコード作成部３ｂ、４ｂと、発行する伝票（領収証等）に、ＱＲコード作成部３ｂ、４ｂによって作成されたＱＲコードを印字する印字部３ｃ、４ｃが設けられる。
【００１９】
上記ＱＲコードは、ＵＲＬ情報が付加されたものであって、このＵＲＬ情報は、例えば、（アドレス＋利用サービス／サービスを受けた日時／商業施設コード／数量／金額等）からなり、これにより、顧客は、携帯電話端末５を介してＱＲコードを読み取るだけで、利用履歴を管理サーバ７に送信することができる。
【００２０】
管理サーバ７は、インターネット６を介して通信するための通信制御部７ａと、携帯電話端末５から送信された識別コードに付加されたサービス利用履歴を、携帯電話端末５の端末情報と関連付けて記憶する利用履歴記憶部７ｂと、携帯電話端末５がＱＲコードを読み取ることにより送信されるポイント情報等を、顧客毎に記憶するポイント情報記憶部７ｃと、利用履歴記憶部７ｂに記憶された利用履歴及び端末情報に基づいて家計簿を作成する家計簿作成部７ｄと、前記利用履歴、ポイント情報及び家計簿をインターネット６を介して閲覧可能に表示するための表示制御部７ｅ等を備える。
【００２１】
利用履歴記憶部７ｂは、図３（ａ）に示すような情報を記憶し、携帯電話端末５の端末情報と関連付けて、いつ、どこで、どのようなサービスを利用したかを管理する。ここで、図３（ａ）の商業施設コードは、給油所２、コンビニ３、レストラン４等のコードを示す。この利用履歴記憶部７ｂに記憶される利用履歴は、給油所２、コンビニ３、レストラン４等の間で共有化され、例えば、端末情報「ＡＡＡ１」の携帯電話端末５を所有する顧客が、給油所２で給油を行った後、コンビニ３で食品を購入した場合、給油及び食品の購入の履歴は、いずれも端末情報「ＡＡＡ１」に対応する利用履歴として一元的に管理される。
【００２２】
ポイント情報記憶部７ｃは、図３（ｂ）に示すような情報を記憶し、携帯電話端末５の端末情報と関連付け、利用可能なポイント数（現ポイント）、発生ポイント数及び利用ポイント数等を管理する。ここで、図３（ｂ）の「ランク」は、年間の所得ポイント数に応じて付与される格付けを示すものであり、また、「優待」は、ランクに応じた特典の内容を示すものである。このポイント情報記憶部７ｃに記憶されるポイント情報も、給油所２、コンビニ３及びレストラン４の間で共有化され、端末情報「ＡＡＡ１」の携帯電話端末５を所有する顧客は、給油所２及びその他の商業施設の全てでポイントを貯めることができると共に、使用することができる。
【００２３】
家計簿作成部７ｄは、利用履歴記憶部７ｂに記憶された利用履歴及び端末情報に基づいて家計簿を作成するために備えられ、上記利用履歴を利用して所定のフォームで家計簿を作成する。
【００２４】
表示制御部７ｅは、予め、顧客が携帯電話端末５や自宅のＰＣ等を介して利用履歴、ポイント情報及び家計簿を閲覧するためのサイトを作成し、このサイトは、携帯電話端末５がＱＲコードを読み取った後、表示部に表示されたＵＲＬ情報をクリックすることで利用履歴等を閲覧することができる。
【００２５】
携帯電話端末５は、給油所２、コンビニ３、レストラン４等で発行される伝票に印字されたＱＲコードを読み取るためのＱＲコード読取部５ａと、読み取ったＵＲＬへとインターネット６を介して接続するための通信制御部５ｂと、表示部５ｃとを備える。尚、これらの各部を備える端末であれば、携帯電話端末に限らずその他の汎用情報端末を使用することもできる。
【００２６】
次に、上記構成を有する顧客管理システム１の動作について、図４を中心に参照しながら説明する。ここでは、まず、顧客が給油所２の給油装置２ａを利用して車両に給油する場合について説明する。
【００２７】
給油所２において、顧客が給油装置２ａで給油を行い、所定の料金を支払うと（ステップＳ１）、ＰＯＳ端末２ｃのＱＲコード作成部２ｄによって、利用履歴を含むＵＲＬ情報を付加したＱＲコードを作成し（ステップＳ２）、印字部２ｅによって前記ＱＲコードが印字された領収証を発行する（ステップＳ３）。
【００２８】
顧客は、領収証を受け取ると、携帯電話端末５のＱＲコード読取部５ａを用いて領収証に印字されたＱＲコードを読み取る（ステップＳ４）。すると、ＱＲコードに付加されたＵＲＬに含まれる利用履歴（利用サービス／サービスを受けた日時／商業施設コード等）と、利用履歴に対応するポイント情報とが通信制御部５ｂを介して自動的に管理サーバ７に送信される（ステップＳ５）。
【００２９】
次に、管理サーバ７において、通信制御部７ａによって携帯電話端末５からのＵＲＬを受信し、この携帯電話端末５の端末情報とＵＲＬに含まれる利用履歴とを関連づけて利用履歴記憶部７ｂに記憶すると共に（ステップＳ６）、ＵＲＬに含まれるポイント情報をポイント情報記憶部７ｃに記憶する（ステップＳ７）。また、 家計簿作成部７ｄは、上記利用履歴を用いてこの顧客の家計簿を作成する（ステップＳ８）。
【００３０】
顧客は、コンビニ３、レストラン４等においても上記給油所２と同様の要領でＱＲコードが印字された領収証を受け取り、携帯電話端末５を用いて領収証が印字されたＱＲコードを読み取ると、ＱＲコードに付加されたＵＲＬに含まれる利用履歴と、利用履歴に対応するポイント情報とが自動的に管理サーバ７に送信される。
【００３１】
管理サーバ７では、利用履歴記憶部７ｂにおいて、所定の期間顧客の利用履歴を図３（ａ）に示すように記憶すると共に、ポイント情報記憶部７ｃにおいて、ポイント情報を図３（ｂ）に示すように記憶し、家計簿作成部７ｄは、上記利用履歴を用いてこの顧客の家計簿を作成する。また、記憶したポイント情報に基づいて、顧客を図３（ｂ）に示すように「ランク」付けしたり（ステップＳ９）、図３（ｂ）の「優待」に示すように、上記ランクに応じた特典を付与する（ステップＳ１０）。
【００３２】
上記ポイント、ランク、特典等のサービス情報については、顧客が自宅のＰＣで印刷したり、携帯電話端末５の画面に保存し、給油所２、コンビニ３、レストラン４等の各々の商業施設においてクーポン割引等のサービスを受けることができる。
【００３３】
また、各商業施設でのポイントの利用の際に、各商業施設でポイントの利用に関する情報をＱＲコードに付与し、顧客が携帯電話端末５を介してＱＲコードを読み取ることで、ポイント情報を管理サーバ７に送信し、管理サーバ７側でその顧客のポイントを減算することもできる。
【００３４】
さらに、顧客は、家計簿作成部７ｄで作成された顧客毎の家計簿についても、自宅のＰＣや携帯電話端末５から直接管理サーバ７の家計簿サイトにアクセスして参照したり、家計簿ファイルをｃｓｖ又はエクセル（登録商標）形式等でダウンロードしたり、ＰＤＦ形式のファイルを印刷することもでき、これまで蓄積された利用履歴を確認することもできる。
【００３５】
また、管理サーバ７の上記家計簿サイト等に、各々の商業施設の広告や、一般の広告を掲載し、顧客が家計簿サイトなどにログインして家計簿等をチェックする際に、広告が目に入るようにしておくことで、顧客に各々の商業施設の利用を促すと共に、広告収入を得ることもできる。
【００３６】
以上のように、本実施の形態においては、給油所２、コンビニ３、レストラン４等の各々の商業施設において、顧客のサービス利用履歴が付加されたＱＲコードを領収証等に印字する機器を備えるだけの低コストで、ポイントの付与や、家計簿の提供等を行うことができ、これらの商業施設における顧客の囲い込みを図ることが可能となる。
【００３７】
尚、上記実施の形態においては、ＱＲコードを識別コードとして用いたが、その他の２次元コード等を用いることもできる。
【符号の説明】
【００３８】
１  顧客管理システム
２  給油所
２ａ  給油装置
２ｂ  洗車装置
２ｃ  ＰＯＳ端末
２ｄ  ＱＲコード作成部
２ｅ  印字部
３  コンビニ
３ａ  精算装置
３ｂ  ＱＲコード作成部
３ｃ  印字部
４  レストラン
４ａ  精算装置
４ｂ  ＱＲコード作成部
４ｃ  印字部
５  携帯電話端末
５ａ  ＱＲコード読取部
５ｂ  通信制御部
５ｃ  表示部
６  インターネット
７  管理サーバ
７ａ  通信制御部
７ｂ  利用履歴記憶部
７ｃ  ポイント情報記憶部
７ｄ  家計簿作成部
７ｅ  表示制御部
【図１】
2012168825.tif 000003
【図２】
2012168825.tif 000004
【図３】
2012168825.tif 000005
【図４】
2012168825.tif 000006